(57)【要約】      （修正有）【課題】ユーザにとって使い勝手の良いコンテンツ推奨機能を提供する。【解決手段】対象表示装置５０での視聴履歴を参照して、表示装置を視聴する他者と共有されないプライベートな推奨コンテンツリストである供給先が制限された第１の推奨コンテンツリストと、表示装置を視聴する他者と共有されるパブリックな推奨コンテンツリストである供給先が制限されない第２の推奨コンテンツリストを生成し、第１の推奨コンテンツリストは端末装置１１０に制限して供給され、第２の推奨コンテンツリストは表示装置５０と端末装置１１０の両方に供給される。【選択図】図１
2019205091.tif 000002
【特許請求の範囲】
【請求項１】
制御部を備えた情報処理装置であって、
上記制御部は、
対象表示装置での視聴履歴を参照して、
供給先が制限された第１の推奨コンテンツリストと、
供給先が制限されない第２の推奨コンテンツリストと
を生成する
ことを特徴とする情報処理装置。
【請求項２】
上記視聴履歴には、
各コンテンツを特定するコンテンツ特定情報と、
上記各コンテンツを選択するためにユーザが行った操作内容を示す操作情報と
が含まれており、
上記制御部は、
上記対象表示装置が特定のユーザに紐付けられた携帯端末装置を経由して受け付けた指示によって選択された各コンテンツを示す各コンテンツ特定情報の少なくとも一部を含む上記第１の推奨コンテンツリストを生成し、
上記対象表示装置が上記携帯端末装置を経由せずに受け付けた指示によって選択された各コンテンツを示す各コンテンツ特定情報の少なくとも一部を含む上記第２の推奨コンテンツリストを生成する
ことを特徴とする請求項１に記載の情報処理装置。
【請求項３】
上記制御部は、
上記対象表示装置が上記携帯端末装置を経由して受け付けた指示であって、上記携帯端末装置に表示された推奨コンテンツリストから選択された各コンテンツを示す各コンテンツ特定情報の少なくとも一部を含む上記第１の推奨コンテンツリストを生成する
ことを特徴とする請求項２に記載の情報処理装置。
【請求項４】
通信部を更に備え、
上記制御部は、
上記第１の推奨コンテンツリストを、上記通信部を介して、上記携帯端末装置に供給し、上記対象表示装置には供給しない
ことを特徴とする請求項２又は３に記載の情報処理装置。
【請求項５】
制御部と表示部とを備えた表示装置であって、
上記制御部は、
当該表示装置での視聴履歴を参照して、
供給先が制限された第１の推奨コンテンツリストと、
供給先が制限されない第２の推奨コンテンツリストと
を生成する
ことを特徴とする表示装置。
【請求項６】
通信部を更に備え、
上記制御部は、上記通信部を介して、上記第１の推奨コンテンツリストを特定のユーザに紐付けられた携帯端末装置には供給するが、当該表示装置が備える表示部には表示しない
ことを特徴とする請求項５に記載の表示装置。
【請求項７】
表示装置と携帯端末装置と情報処理装置とを備えた情報処理システムであって、
上記表示装置は、
自装置の視聴履歴を、上記情報処理装置に供給し、
上記携帯端末装置は、端末制御部を備え、
上記端末制御部は、
上記表示装置から取得した視聴履歴を参照して、
供給先が制限された第１の推奨コンテンツリストと、
供給先が制限されない第２の推奨コンテンツリストと
を生成し、
上記第１の推奨コンテンツリストを、通信部を介して、上記携帯端末装置に供給し、上記表示装置には供給しない
ことを特徴とする情報処理システム。
【請求項８】
情報処理方法であって、
対象表示装置での視聴履歴を参照して、
供給先が制限された第１の推奨コンテンツリストと、
供給先が制限されない第２の推奨コンテンツリストと
を生成する
ことを特徴とする情報処理方法。
【請求項９】
請求項１に記載の情報処理装置としてコンピュータを機能させるためのプログラムであって、上記制御部としてコンピュータを機能させるためのプログラム。
【発明の詳細な説明】
【技術分野】
【０００１】
本発明は、情報処理装置、表示装置、情報処理システム、情報処理方法、及びプログラムに関する。
【背景技術】
【０００２】
従来、携帯電話やスマートフォン等のユーザ端末の利用履歴に基づいて、利用者に視聴させるコンテンツに関するリコメンド情報を生成して、当該リコメンド情報をディスプレイ装置に表示するコンテンツ推奨機能を有する情報提供システムが知られている（例えば、特許文献１参照）。
【先行技術文献】
【特許文献】
【０００３】
【特許文献１】特開２０１４−１７５８９７号公報（２０１４年９月２２日公開）
【発明の概要】
【発明が解決しようとする課題】
【０００４】
上述のような従来技術では、他者と一緒に視聴している画面上に、プライベートな内容のユーザ端末の利用履歴に基づいたリコメンド情報が表示される場合がある。そして、プライベートな内容のユーザ端末の利用履歴に基づいたリコメンド情報には、他者と共有したくない情報に関連するコンテンツを推奨する情報が含まれる可能性がある。このように、他者と共有したくないプライベートな利用履歴に基づくリコメンド情報が、他者と一緒に視聴している画面上に表示されるコンテンツ推奨機能では、当該機能は使い勝手が良くないという印象をユーザが抱く可能性があるという懸念があった。
【０００５】
本発明の一態様は、上述した事情に鑑みてなされたものであり、ユーザにとって使い勝手の良いコンテンツ推奨機能を提供することを目的とする。
【課題を解決するための手段】
【０００６】
上記の課題を解決するために、本発明の一態様に係る情報処理装置は、制御部を備えた情報処理装置であって、上記制御部は、対象表示装置での視聴履歴を参照して、供給先が制限された第１の推奨コンテンツリストと、供給先が制限されない第２の推奨コンテンツリストとを生成する構成である。
【０００７】
また、上記の課題を解決するために、本発明の一態様に係る表示装置は、制御部と表示部とを備えた表示装置であって、上記制御部は、当該表示装置での視聴履歴を参照して、供給先が制限された第１の推奨コンテンツリストと、供給先が制限されない第２の推奨コンテンツリストとを生成する構成である。
【０００８】
また、上記の課題を解決するために、本発明の一態様に係る情報処理システムは、表示装置と携帯端末装置と情報処理装置とを備えた情報処理システムであって、上記表示装置は、自装置の視聴履歴を、上記情報処理装置に供給し、上記携帯端末装置は、端末制御部を備え、上記端末制御部は、上記表示装置から取得した視聴履歴を参照して、供給先が制限された第１の推奨コンテンツリストと、供給先が制限されない第２の推奨コンテンツリストとを生成し、上記第１の推奨コンテンツリストを、上記通信部を介して、上記携帯端末装置に供給し、上記表示装置には供給しない構成である。
【０００９】
また、上記の課題を解決するために、本発明の一態様に係る情報処理方法は、情報処理方法であって、対象表示装置での視聴履歴を参照して、供給先が制限された第１の推奨コンテンツリストと、供給先が制限されない第２の推奨コンテンツリストとを生成する方法である。
【発明の効果】
【００１０】
本発明の一態様によれば、ユーザにとって使い勝手の良いコンテンツ推奨機能を提供することができる。
【図面の簡単な説明】
【００１１】
【図１】情報処理システムの要部構成を示すブロック図である。
【図２】（ａ）および（ｂ）は、コンテンツ関連情報テーブルの一例を示す図である。
【図３】視聴履歴テーブルの一例を示す図である。
【図４】情報処理システムの処理の流れを示すシーケンス図である。
【図５】端末表示部の表示画面の例を示す図である。
【図６】端末表示部の表示画面の例を示す図である。
【図７】操作内容と、視聴履歴と、の対応を示すテーブルの一例を示す図である。
【図８】端末表示部の表示画面の例を示す図である。
【図９】端末表示部の表示画面の例を示す図である。
【図１０】端末表示部の表示画面の例を示す図である。
【図１１】端末表示部の表示画面の例を示す図である。
【図１２】（ａ）は、視聴頻度に関する情報を含むテーブルの例を示し、（ｂ）は、コンテンツの優先度ポイントの情報を含むテーブルの例を示している。
【図１３】推奨コンテンツリストの例を示す図である。
【図１４】情報処理装置として利用可能なコンピュータの構成を例示したブロック図である。
【発明を実施するための形態】
【００１２】
〔実施形態１〕
以下、本発明の実施形態１に係る情報処理装置１について、詳細に説明する。なお、以下の実施形態に記載されている構成は、特に特定的な記載がない限り、この発明の範囲をそれのみに限定する趣旨ではなく、単なる説明例に過ぎない。
【００１３】
図１は、情報処理装置１を含む情報処理システム１００の要部構成を示すブロック図である。
【００１４】
情報処理システム１００は、情報処理装置１と、表示装置５０と、端末装置１１０とを含んでいる。情報処理システム１００は、情報処理装置１、表示装置５０、および端末装置１１０をそれぞれ１つまたは複数含んでいる構成であってもよい。
【００１５】
情報処理装置１は、各種のコンテンツを配信するサーバであり、表示装置５０、および端末装置１１０とインターネット等のネットワークを介して接続されている。情報処理装置１は、表示装置５０からのコンテンツ配信要求を受信して、対象の表示装置５０に、要求に応じたコンテンツを配信する。
【００１６】
（情報処理装置１の構成）
情報処理装置１は、サーバ制御部１０、サーバ通信部２０、及びサーバ記憶部３０を含んでいる。情報処理装置１は、表示装置５０からコンテンツ配信要求を受信して、配信要求の送信元である対象の表示装置５０にのみ、要求されたコンテンツを送信するＶｏＤ（Ｖｉｄｅｏ  ｏｎ  Ｄｅｍａｎｄ）サービスを提供するサーバであってもよい。情報処理装置１は、コンテンツ配信契約を結んでいるユーザに紐付けられた表示装置５０からの配信要求を受け付けて、当該表示装置５０にコンテンツを配信する構成であってもよい。
【００１７】
サーバ制御部１０は、情報処理装置１の各部を統括的に制御する機能を備えている演算装置である。
【００１８】
サーバ通信部２０は、無線通信または有線通信によって、インターネット等のネットワークに接続可能に構成され、ネットワークを介して表示装置５０、および端末装置１１０と通信する。
【００１９】
サーバ記憶部３０は、情報処理装置１で用いられる種々のデータを格納するストレージである。サーバ記憶部３０は、例えば、内容の書き換えが可能な不揮発性メモリである、ＥＰＲＯＭ、ＥＥＰＲＯＭ（登録商標）、ＨＤＤ、フラッシュメモリなどのいずれか１つ、またはそれらの１つ以上の組み合わせによって実現される。
【００２０】
（サーバ制御部１０の構成）
サーバ制御部１０は、コンテンツ配信部１１と、推奨コンテンツリスト生成部１２と、を含んでいる。
【００２１】
コンテンツ配信部１１は、サーバ通信部２０を介して表示装置５０からコンテンツの配信要求を受信すると、当該要求に応じたコンテンツを特定する。コンテンツ配信部１１は、例えば、コンテンツの配信要求に含まれているコンテンツのタイトルやコンテンツのＩＤ等のコンテンツを特定するための情報に基づいてコンテンツを特定する。コンテンツ配信部１１は、特定したコンテンツをサーバ記憶部３０から抽出し、当該コンテンツをサーバ通信部２０を介して対象の表示装置５０に送信する。
【００２２】
なお、表示装置５０から送信されるコンテンツの配信要求には、表示装置５０を特定するための機器ＩＤや配信契約ＩＤ等の情報が含まれている。コンテンツ配信部１１は、表示装置５０から受信した、表示装置５０を特定するための情報に基づいて、配信要求に応じたコンテンツを、対象の表示装置５０に、サーバ通信部２０を介して送信する。
【００２３】
推奨コンテンツリスト生成部１２は、配信可能なコンテンツの中から、各表示装置５０に対応付けられたユーザに視聴を推奨するコンテンツを特定するためのコンテンツ特定情報（例えば、コンテンツのタイトルや、コンテンツＩＤ等の情報）を含むリストを作成する。
【００２４】
推奨コンテンツリスト生成部１２は、表示装置５０の視聴履歴に基づいて推奨コンテンツリストを生成してもよい。また、推奨コンテンツリスト生成部１２は、端末装置１１０の操作履歴に基づいて推奨コンテンツリストを生成してもよい。また、推奨コンテンツリスト生成部１２は、提供側からお薦めしたいコンテンツに関するコンテンツ特定情報を含む推奨コンテンツリストを生成してもよい。
【００２５】
また、推奨コンテンツリスト生成部１２による推奨コンテンツの生成処理と、推奨コンテンツリストの詳細についてとは後述するが、推奨コンテンツリスト生成部１２によって生成される、端末装置１１０に送信する推奨コンテンツリストと、表示装置５０に送信する推奨コンテンツリストとはそれぞれ異なる内容のものであってもよい。なお、以下の説明において、コンテンツに含まれるコンテンツ特定情報を、単にコンテンツとも表示する。
【００２６】
サーバ制御部１０は、推奨コンテンツリスト生成部１２の機能によって生成した推奨コンテンツリストを、サーバ通信部２０を介して対象の表示装置５０、および端末装置１１０の少なくとも何れか一方に送信する。
【００２７】
（サーバ記憶部３０に記憶されている情報の例）
サーバ記憶部３０には、コンテンツ３１を格納するコンテンツ格納部と、コンテンツ関連情報３２を格納するコンテンツ関連情報格納部と、が含まれている。コンテンツ格納部には、配信可能なコンテンツ３１のそれぞれのデータが格納されている。コンテンツ関連情報格納部には、配信可能なコンテンツ３１のそれぞれに関するコンテンツ関連情報３２が含まれている。
【００２８】
図２の（ａ）は、コンテンツ関連情報格納部に格納されているコンテンツ関連情報３２を含むコンテンツ関連情報テーブルの一例を示す図である。コンテンツ関連情報テーブルには、例えば、図２の（ａ）に示すように、コンテンツの名称（タイトル）、出演者、無料であるのか、有料であるのか、及び有料である場合には料金はいくらであるのか等の各コンテンツ特定するための情報が含まれている。なお、以下の説明において、これらのコンテンツを特定するための情報を、コンテンツ関連情報、又はコンテンツ特定情報と称する。
【００２９】
図２の（ｂ）は、コンテンツ関連情報テーブルの別の例を示す図である。コンテンツ関連情報テーブルには、例えば、図２の（ｂ）に示すように、放送波を介して表示装置５０が受信可能な番組のコンテンツに関連する情報が含まれていてもよい。放送番組のコンテンツに関する情報を含むコンテンツ関連情報テーブルには、コンテンツの名称（タイトルやジャンル）、出演者、放送局、放送日時等の情報が含まれている。また、コンテンツ関連情報テーブルには、コンテンツのジャンルや、コンテンツのメタ情報等が含まれていてもよい。
【００３０】
（表示装置５０の構成）
表示装置５０は、放送波を受信する放送波受信部７５（チューナ）を備えたテレビジョン受像器である。
【００３１】
表示装置５０は、制御部６０、通信部７０、放送波受信部７５、表示部８０、入力部８５、遠隔操作信号受信部９０、及び記憶部９５を備えている。
【００３２】
制御部６０は、表示装置５０の各部を統括的に制御する機能を備えている演算装置である。
【００３３】
通信部７０は、無線通信または有線通信によって、インターネット等のネットワークに接続可能に構成され、ネットワークを介して情報処理装置１に接続される。
【００３４】
放送波受信部７５は、テレビチューナであり、放送波を受信する。
【００３５】
表示部８０は、例えば、液晶ディスプレイ、有機ＥＬ（Electro Luminescence）ディスプレイ（ＯＬＥＤ）、及びプラズマディスプレイ等のディスプレイデバイスである。
【００３６】
入力部８５は、不図示の操作ボタン、リモコン、又はタッチパネルなどの入力操作部を介して行われるユーザ操作に応じた入力を受け付ける。
【００３７】
遠隔操作信号受信部９０は、Ｗｉ−Ｆｉ（登録商標）、ＵＰｎＰ、またはＢｌｕｅｔｏｏｔｈ（登録商標）等の無線通信を介して接続された端末装置１１０から送信される遠隔操作信号を受信する。表示装置５０の制御部６０は、入力部８５を介して受け付けた操作信号、および遠隔操作信号受信部９０が受信した操作信号の何れか一方に応じて、表示装置５０の各部を制御し、情報処理装置１、及び端末装置１１０と通信する。
【００３８】
記憶部９５は、表示装置５０で用いられる種々のデータを格納するストレージである。記憶部９５は、例えば、内容の書き換えが可能な不揮発性メモリである、ＥＰＲＯＭ、ＥＥＰＲＯＭ（登録商標）、ＨＤＤ、フラッシュメモリなどのいずれか１つ、またはそれらの１つ以上の組み合わせによって実現される。
【００３９】
（制御部６０の構成）
制御部６０は、表示制御部６１、視聴履歴記録部６２、及び視聴履歴送信部６３を備えている。
【００４０】
表示制御部６１は、放送波受信部７５を介して受信した情報、及び通信部７０を介して情報処理装置１から取得した情報の少なくとも何れか一方に基づいて表示部８０に表示する表示情報を生成し、生成した表示情報を表示部８０に表示する。
【００４１】
視聴履歴記録部６２は、表示装置５０においてユーザが視聴したテレビ番組のコンテンツ、及びコンテンツ提供サーバから提供された映像のコンテンツの履歴を記憶部９５に記録する。
【００４２】
視聴履歴送信部６３は、視聴履歴記録部６２の機能により記憶部９５に記録された視聴履歴を、通信部７０を介して情報処理装置１に送信する。
【００４３】
（記憶部９５に記憶されている情報の例）
図３は、記憶部９５の視聴履歴格納部に格納されている視聴履歴９６を含む視聴履歴テーブルの一例を示す図である。
【００４４】
図３に示すように、視聴履歴テーブルには、各コンテンツを特定する、例えば、コンテンツを視聴した日時に関する情報、視聴したコンテンツの名称、視聴したコンテンツの配信元に関する情報等のコンテンツ特定情報と、各コンテンツを選択するためにユーザが行った操作内容を示す操作情報と、が含まれている。
【００４５】
各コンテンツを選択するためにユーザが行った操作内容を示す操作情報には、表示装置５０が特定のユーザに紐付けられた端末装置１１０を経由して受け付けた指示によって各コンテンツが選択されたか、表示装置５０が端末装置１１０を経由せずに受け付けた指示によって各コンテンツが選択されたか、に関する情報が含まれている。
【００４６】
制御部６０は、視聴履歴記録部６２の機能により、所定の視聴件数分（例えば直近１０００件等）の視聴履歴に関する情報を記憶部９５に記憶しても良いし、所定の日数分（例えば直近６０日等）の視聴履歴に関する情報を記憶部９５に記憶しても良い。
【００４７】
（端末装置１１０の構成について）
端末装置１１０は、スマートフォン等の携帯型の端末である。端末装置１１０は、表示装置５０を操作する所謂リモートコントローラとして用いることができる。端末装置１１０は、端末制御部１２０、端末通信部１３０、端末表示部１３５、遠隔操作信号送信部１４０、及び端末記憶部１４５を含んでいる。
【００４８】
端末制御部１２０は、端末装置１１０の各部を統括的に制御する機能を備えている演算装置である。
【００４９】
端末制御部１２０は、表示制御部１２１を備えている。表示制御部１２１は、端末表示部１３５に表示する表示情報を生成し、生成した表示情報を端末表示部１３５に表示する。
【００５０】
端末通信部１３０は、無線通信または有線通信によって、インターネット等のネットワークに接続可能に構成され、ネットワークを介して情報処理装置１、及び表示装置５０と通信する。
【００５１】
端末表示部１３５は、例えば、液晶ディスプレイ、有機ＥＬ（Electro Luminescence）ディスプレイ（ＯＬＥＤ）、及びプラズマディスプレイ等のディスプレイデバイスである。端末表示部１３５は、タッチパネルとして構成されていてもよい。
【００５２】
遠隔操作信号送信部１４０は、Ｗｉ−Ｆｉ（登録商標）、ＵＰｎＰ、またはＢｌｕｅｔｏｏｔｈ（登録商標）等の無線通信を介して接続された表示装置５０にユーザ操作に応じた遠隔操作信号を送信する。
【００５３】
端末記憶部１４５は、端末装置１１０で用いられる種々のデータを格納するストレージである。端末記憶部１４５は、例えば、内容の書き換えが可能な不揮発性メモリである、ＥＰＲＯＭ、ＥＥＰＲＯＭ（登録商標）、ＨＤＤ、フラッシュメモリなどのいずれか１つ、またはそれらの１つ以上の組み合わせによって実現される。
【００５４】
情報処理システム１００では、ユーザは、端末装置１１０に対する操作で、情報処理装置１から提供されるコンテンツを表示装置５０の表示部８０に表示させることができる。また、情報処理装置１から送信される推奨コンテンツリストは、端末装置１１０の端末表示部１３５に表示することができる。ユーザは、端末表示部１３５に表示された推奨コンテンツリストから、視聴するコンテンツを選択する操作を行うことで、選択したコンテンツを、表示装置５０の表示部８０に表示させることができる。
【００５５】
（情報処理システム１００の処理の流れについて）
図４は、情報処理システム１００における、情報処理装置１、表示装置５０、および端末装置１１０間での処理の流れを示すシーケンス図である。
【００５６】
（ステップＳ１）
情報処理装置１のサーバ制御部１０は、推奨コンテンツリスト生成部１２の機能により推奨コンテンツリストを生成する。サーバ制御部１０は、生成した推奨コンテンツリストをサーバ通信部２０を介して端末装置１１０、および表示装置５０に送信する。情報処理装置１のサーバ制御部１０は、例えば一日に一回等の所定の間隔で推奨コンテンツリストを生成して、対象の端末装置１１０、および表示装置５０に推奨コンテンツリストを送信する。
【００５７】
（ステップＳ２）
端末装置１１０の端末制御部１２０は、端末通信部１３０を介して推奨コンテンツリストを受信する。端末装置１１０の端末制御部１２０は、表示制御部１２１の機能により、受信した推奨コンテンツリストに基づく情報を端末表示部１３５に表示してもよい。また、端末装置１１０の端末制御部１２０は、表示制御部１２１の機能により、受信した推奨コンテンツリストのうち、最もおすすめのコンテンツを通知画面に表示することで、推奨コンテンツリストを受信したことをユーザに示してもよい。
【００５８】
（ステップＳ３）
表示装置５０の制御部６０は、通信部７０を介して推奨コンテンツリストを受信する。表示装置５０の制御部６０は、ユーザ操作に応じて、推奨コンテンツリストを表示部８０に表示することができるように、受信した推奨コンテンツリストをメモリに記憶する。
【００５９】
（ステップＳ４）
端末装置１１０に対してユーザが、表示装置５０の表示部８０にコンテンツを表示する操作を行うと、当該ユーザ操作に応じたリモコン信号が、遠隔操作信号送信部１４０から送信される。なお、端末装置１１０に対して行われる、表示装置５０の表示部８０にコンテンツを表示するためのユーザ操作は、例えば、表示装置５０に予めインストールされている所定のアプリケーションを起動させる操作であってもよい。また、表示装置５０にコンテンツを表示するためのユーザ操作は、端末表示部１３５に表示された推奨コンテンツリストから表示装置５０の表示部８０に表示して視聴するコンテンツを選択する操作であってもよい。
【００６０】
（ステップＳ５）
表示装置５０の制御部６０は、遠隔操作信号受信部９０を介してリモコン信号を受信する。
【００６１】
（ステップＳ６）
表示装置５０の制御部６０は、受信したリモコン信号に応じて、コンテンツ配信要求を通信部７０を介して情報処理装置１に送信する。
【００６２】
（ステップＳ７）
情報処理装置１のサーバ制御部１０は、サーバ通信部２０を介してコンテンツ配信要求を受信する。
【００６３】
（ステップＳ８）
情報処理装置１のサーバ制御部１０は、コンテンツ配信部１１の機能により、コンテンツ配信要求に応じたコンテンツをサーバ記憶部３０から読み出して、当該コンテンツをサーバ通信部２０を介して対象の表示装置５０に送信する。
【００６４】
（ステップＳ９）
表示装置５０の制御部６０は、通信部７０を介してコンテンツを受信する。表示装置５０の制御部６０は、表示制御部６１の機能により、受信したコンテンツを表示部８０に表示する。また、表示装置５０の制御部６０は、視聴履歴記録部６２の機能により、視聴履歴を記憶部９５に記憶する。
【００６５】
情報処理システム１００では、ステップＳ４からステップＳ９の動作が、ユーザ操作に応じてステップ３とステップ１０の動作の間で複数回繰り返される。
【００６６】
（ステップＳ１０）
表示装置５０の制御部６０は、視聴履歴送信部６３の機能により、記憶部９５に記憶した視聴履歴９６を、例えば一日に一回等の所定の間隔で情報処理装置１に通信部７０を介して送信する。
【００６７】
（ステップＳ１１）
情報処理装置１のサーバ制御部１０は、サーバ通信部２０を介して視聴履歴を受信する。
【００６８】
（ステップＳ１２）
情報処理装置１のサーバ制御部１０は、推奨コンテンツリスト生成部１２の機能により、受信した視聴履歴を参照して、推奨コンテンツリストを生成する。情報処理装置１のサーバ制御部１０は、生成した推奨コンテンツリストを対象の端末装置１１０、および表示装置５０にサーバ通信部２０を介して送信する。
【００６９】
（ステップＳ１３）
端末装置１１０の端末制御部１２０は、端末通信部１３０を介して推奨コンテンツリストを受信する。
【００７０】
（ステップＳ１４）
表示装置５０の制御部６０は、通信部７０を介して推奨コンテンツリストを受信する。
【００７１】
（操作内容について）
表示装置５０の表示部８０に表示するコンテンツの選択は、特定のユーザに紐付けられた端末装置１１０を経由して受け付ける指示と、端末装置１１０を経由せずに受け付ける指示とによって行われる。特定のユーザに紐付けられた端末装置１１０を経由して受け付ける指示は、遠隔操作信号受信部９０を介して受信するリモコン信号に基づく。また、端末装置１１０を経由せずに受け付ける指示は、入力部８５を介して受信する操作信号に基づく。
【００７２】
表示装置５０の制御部６０は、特定のユーザに紐付けられた端末装置１１０を経由して受け付けた指示によって選択されたコンテンツの視聴履歴を、視聴履歴記録部６２の機能により、プライベート視聴履歴として記憶部９５に記憶する。また、表示装置５０の制御部６０は、端末装置１１０を経由せずに受け付けた指示によって選択されたコンテンツの視聴履歴を、視聴履歴記録部６２の機能により、パブリック視聴履歴として記憶部９５に記憶する。
【００７３】
プライベート視聴履歴として記憶された視聴履歴は、表示装置５０を視聴する他者と共有されないプライベートな推奨コンテンリストを作成する際に参照される。一方で、パブリック視聴履歴として記憶された視聴履歴は、表示装置５０を視聴する他者と共有されるパブリックな推奨コンテンリストを作成する際に参照される。詳細については後述するが、推奨コンテンツリストは、選択された各コンテンツを示す各コンテンツ特定情報の少なくとも一部を含むリストである。
【００７４】
また、ユーザは、特定のユーザに紐付けられた端末装置１１０を経由して受け付けた指示によって選択されたコンテンツの視聴履歴を、パブリック視聴履歴とするか、プライベート視聴履歴とするかを、端末装置１１０に対する操作で切り替えることができてもよい。
【００７５】
図５（ａ）および（ｂ）は、端末装置１１０の端末表示部１３５に表示される表示画面の例を示す図であり、推奨コンテンツの表示例を示す図である。
【００７６】
図５の（ａ）および（ｂ）に示すように、端末装置１１０の端末制御部１２０は、情報処理装置１から推奨コンテンツリストを受信すると、表示制御部１２１の機能により、受信した推奨コンテンツリストのうち、最もおすすめのコンテンツをロック画面または通知画面に表示して通知する。
【００７７】
表示制御部１２１は、推奨コンテンツリストを受信したタイミングで、最もおすすめのコンテンツをロック画面または通知画面に表示してもよい。また、表示制御部１２１は、ユーザが予めお気に入り登録したテレビ番組の放送開始前に、当該テレビ番組が始まることを通知する情報をロック画面または通知画面に表示するタイミングで、受信した推奨コンテンツリストのうち、最もおすすめのコンテンツをロック画面または通知画面に表示してもよい。
【００７８】
端末装置１１０の端末制御部１２０は、ロック画面または通知画面に表示された通知をタッチ操作によってユーザが選択する操作を行うと、端末装置１１０を遠隔操作によって表示装置５０と連携させるためのアプリケーションを立ち上げる。端末装置１１０を遠隔操作によって表示装置５０と連携させるためのアプリケーションを用いることによって、ユーザは、推奨コンテンツリストを閲覧したり、お気に入りのコンテンツを登録したり、端末装置１１０を表示装置５０のリモコンとして用いたりすることができる。
【００７９】
図６の（ａ）および（ｂ）は、端末装置１１０を遠隔操作によって表示装置５０と連携させるためのアプリケーションを立ち上げた際に表示される画面の一例を示す図であり、推奨コンテンツリストの表示例を示している。図６の（ａ）に示すように、端末装置１１０の端末制御部１２０は、表示制御部１２１の機能により、推奨コンテンツのそれぞれを選択可能なカード１５１として表示する。推奨コンテンツには、放送波を介して受信可能なテレビ番組、情報処理装置１から配信可能なビデオコンテンツ、情報処理装置１から配信可能な楽曲コンテンツ等がある。ユーザは端末表示部１３５に表示された、「ＡＬＬ」、「テレビ」、「ビデオ」、「音楽」などの各タブを選択することで、これらのカード１５１をソートすることができる。
【００８０】
また、図６の（ｂ）に示すように、ユーザは、端末装置１１０の端末表示部１３５上で、画面を上下にスクロールする操作を行うことで、推奨コンテンツを示すカード１５１ａ〜１５１ｄのそれぞれを閲覧および選択することができる。
【００８１】
図７は、端末装置１１０を表示装置５０のリモコンとして用いた際に、端末装置１１０における操作内容と、当該操作内容に応じた視聴履歴がパブリック視聴履歴として記憶されるか、プライベート視聴履歴として記憶されるかと、の対応を示すテーブルである。
【００８２】
図７に示すように、ユーザが端末装置１１０に対する操作で、端末装置１１０の端末表示部１３５に表示された推奨コンテンツリストから、表示装置５０で視聴するコンテンツを選択する操作を行った場合、表示装置５０の制御部６０は、当該操作に応じた視聴履歴を、プライベート視聴履歴として記憶される。このように、対象の表示装置５０が端末装置１１０を経由して受け付けた指示であって、端末装置１１０に表示された推奨コンテンツリストから選択された各コンテンツに関する視聴履歴は、プライベートな推奨コンテンリストを生成する際に参照される。なお、推奨コンテンツリストは、各コンテンツ特定情報の少なくとも一部を含み、例えば、コンテンツの名称やコンテンツの料金等の情報を含んでいる。
【００８３】
一方で、ユーザが端末装置１１０に対する操作で、表示装置５０の表示部８０に表示された推奨コンテンツリストから、視聴するコンテンツを選択する操作を行った場合、当該操作はパブリック視聴履歴として記憶される。また、ユーザが端末装置１１０に対する操作で、表示装置５０の表示部８０に表示するテレビ番組を選局する操作を行った場合、当該操作はパブリック視聴履歴として記憶される。なお、端末装置１１０からの選局操作をプライベート視聴履歴とするか、パブリック視聴履歴とするかは、ユーザが設定可能な構成であっても良い。
【００８４】
表示装置５０の制御部６０は、遠隔操作信号受信部９０を介して、端末装置１１０からリモコン信号を受信すると、視聴履歴記録部６２の機能により、ユーザの操作内容を含む視聴履歴（図３参照）を記憶部９５に記憶する。情報処理装置１のサーバ制御部１０は、表示装置５０から受信した視聴履歴を参照し、当該視聴履歴に含まれるユーザの操作内容に応じて、図７に示したように、当該操作内容に応じた視聴履歴がパブリック視聴履歴であるのか、プライベート視聴履歴であるのかを切り分けることができる。
【００８５】
なお、視聴履歴は、端末装置１１０に対してユーザが行った操作の内容に応じて、自動で、プライベート視聴履歴、又はパブリック視聴履歴の何れかに対応付けられる構成に限られるものではない。ユーザは、端末装置１１０を表示装置５０のリモコンとして用いてコンテンツを視聴する際に、端末装置１１０において行う各操作をプライベートモードで行うか、パブリックモードで行うかを、端末装置１１０に対する操作で選択可能な構成であってもよい。
【００８６】
図８〜図１１は、端末装置１１０をリモコンとして使用するリモコンモードにおいて、端末表示部１３５に表示される表示画面の例を示す図である。ユーザは、端末装置１１０への操作によって、リモコンモードを、パブリックのリモコンモードとするか、プライベートのリモコンモードとするかを選択することができる。パブリックのリモコンモードで行われた操作内容に基づく視聴履歴は、パブリック視聴履歴として表示装置５０の記憶部９５に記録される。プライベートのリモコンモードで行われた操作内容に基づく視聴履歴は、プライベート視聴履歴として表示装置５０の記憶部９５に記録される。
【００８７】
図８は、端末装置１１０において、推奨コンテンツリストの表示モードから、表示装置５０のリモコンとして使用するリモコンモードに切り替えるときに、端末表示部１３５に表示される表示画面の例を示す図である。端末装置１１０の端末制御部１２０は、ユーザが視聴を望むコンテンツのカードをタッチする操作を行ったことに起因して、画面の表示モードを、推奨コンテンツリスト表示モードから、リモコンモードに切り替えてもよい。
【００８８】
図８に示すように、端末制御部１２０は、表示制御部１２１の機能により、画面の表示モードをリモコンモードに切り替える際に、当該リモコンモードを、パブリックのリモコンモードとするか、プライベートのリモコンモードとするかをユーザがタッチ操作により選択することができるモード切替ボタンを表示してもよい。
【００８９】
パブリックのリモコンモードでは、ユーザは、当該リモコンモードでの操作による視聴履歴、および操作履歴に基づく情報を表示装置５０を視聴する他者と共有することができる。また、プライベートのリモコンモードでは、ユーザは、当該リモコンモードでの操作による視聴履歴、および操作履歴に基づく情報を表示装置５０を視聴する他者と共有することなく個人的に楽しむことができる。
【００９０】
表示制御部１２１は、例えば、ユーザが視聴を望むコンテンツのカードをタッチする操作を行うと、端末表示部１３５に、パブリックのリモコンモードに移行させるためのアイコン１３６と、プライベートのリモコンモードに移行させるためのアイコン１３７と、を表示する。ユーザは、アイコン１３６，１３７の何れか一方を選択する操作を行うことで、パブリックのリモコンモード、またはプライベートのリモコンモードにモードを切り替えることができる。
【００９１】
図９は、リモコンモードでの、端末表示部１３５の表示画面の例を示す図である。図９に示すように、ユーザは、端末表示部１３５に表示されたアイコンをタッチすることによって、表示装置５０の表示部８０に表示するコンテンツの決定、再生、停止、早送り、巻戻し、音量調整等の操作を行うことができる。
【００９２】
また、図８に示したパブリックのリモコンモードに移行させるためのアイコン１３６をタッチすることでリモコンモードに移行した場合には、図９に示したリモコンモードで行った操作は、パブリックな操作履歴として端末記憶部１４５に記憶される。一方で、図８に示したプライベートのリモコンモードに移行させるためのアイコン１３７をタッチすることでリモコンモードに移行した場合には、図９に示したリモコンモードで行った操作は、プライベートな操作履歴として端末記憶部１４５に記憶される。
【００９３】
図１０は、リモコンモードを、パブリックのリモコンモードと、プライベートのリモコンモードとの間で切り替えるアイコンが表示された端末表示部１３５の表示画面の別の例を示す図である。図８で示した例では、推奨コンテンツリスト表示モードから、リモコンモードに切り替える際に、ユーザは、パブリックのリモコンモードに移行させるためのアイコン１３６と、プライベートのリモコンモードに移行させるためのアイコン１３７との何れかを選択する例を示した。
【００９４】
しかしながら、これに限らず、図９に示すように、リモコンモードにおいて、チェックマークを入れることで、プライベートのリモコンモードとすることができるチェックボックス１３８が端末表示部１３５に表示されてもよい。ユーザは、推奨コンテンツリスト表示モードから、リモコンモードに切り替えた後に、端末表示部１３５に表示されたプライベートモードのチェックボックス１３８にチェックマークを入れる操作を行うことで、リモコンモードをプライベートモードに切り替えることができる。また、ユーザは、プライベートモードのチェックボックス１３８にチェックマークを入れたり、外したりすることで、リモコンのモードを、プライベートモードと、パブリックモードとの間で容易に切り替えることができる。
【００９５】
図１１は、リモコンモードを、パブリックのリモコンモードと、プライベートのリモコンモードとの間で切り替えるアイコンが表示された端末表示部１３５の表示画面の別の例を示す図である。図１１に示すように、リモコンモードにおいて、プライベートのリモコンモードを選択するためのアイコン１３９Ａと、パブリックのリモコンモードを選択するためのアイコン１３９Ｂと、がそれぞれ端末表示部１３５に表示されてもよい。ユーザは、アイコン１３９Ａ、およびアイコン１３９Ｂの何れかをタッチして、モードを選択することができる。
【００９６】
アイコン１３９Ａ、およびアイコン１３９Ｂは、どちらのモードが選択されているのかがユーザが容易にわかるように表示されてもよい。例えば、表示制御部１２１は、選択されている方のアイコンを高い彩度で表示し、選択されていない方のアイコンを低い彩度で表示してもよい。ユーザは、アイコン１３９Ａ、およびアイコン１３９Ｂの何れかを選択することで、リモコンのモードを、プライベートモードと、パブリックモードとの間で容易に切り替えることができる。
【００９７】
（推奨コンテンツリストの生成について）
情報処理装置１のサーバ制御部１０は、推奨コンテンツリスト生成部１２の機能により、ユーザの視聴履歴に応じた推奨コンテンツリストを生成して、ユーザに提供する。図１２の（ａ）は、推奨コンテンツリスト生成部１２が、ユーザの表示装置５０における視聴履歴と、サーバ記憶部３０に記憶されたコンテンツ関連情報と、を参照して生成した、視聴頻度に関する情報を含むテーブルを示している。
【００９８】
図１２の（ａ）に示すように、推奨コンテンツリスト生成部１２は、表示装置５０から提供される視聴履歴（図３参照）と、サーバ記憶部３０に記憶されているコンテンツ関連情報（図２参照）とを参照して視聴頻度に関する情報を生成する。推奨コンテンツリスト生成部１２は、例えば、視聴履歴と、コンテンツ関連情報とから、ユーザが視聴しているコンテンツの出演者に基づいた視聴頻度に関する情報を生成してもよい。例えば、図２及び図３に示した例では、ユーザには、俳優Ｏが出演している映画Ｉと、俳優Ｐおよび俳優Ｑが出演しているドラマＡと、俳優Ｐおよび俳優Ｒが出演しているドラマＢとを視聴した視聴履歴が対応づけられている。推奨コンテンツリスト生成部１２は、各俳優に対して、ユーザの各視聴コンテンツへの出演毎に１ポイントのポイントを付す。ここでは、推奨コンテンツリスト生成部１２は、俳優Ｏの視聴頻度を１ポイント、俳優Ｐの視聴頻度を２ポイント、俳優Ｑの視聴頻度を１ポイント、俳優Ｒの視聴頻度を１ポイントとする。
【００９９】
また、推奨コンテンツリスト生成部１２は、視聴履歴に基づいて、各出演者の視聴頻度を、パブリック視聴頻度と、プライベート視聴頻度とに分けて算出する。図２及び図３に示した例では、ユーザは、俳優Ｏが出演している映画Ｉを、端末装置１１０の推奨コンテンツリストから選択して視聴した操作内容が視聴履歴に含まれている。よって、推奨コンテンツリスト生成部１２は、俳優Ｏの視聴頻度をプライベート視聴頻度とする。
【０１００】
また、俳優Ｐおよび俳優Ｑが出演しているドラマＡは、表示装置５０の推奨コンテンツリストから選択して視聴した操作内容が視聴履歴に含まれている。また、俳優Ｐおよび俳優Ｒが出演しているドラマＢは、選局操作によって使用した操作内容が視聴履歴に含まれている。よって、推奨コンテンツリスト生成部１２は、俳優Ｐ、俳優Ｑおよび俳優Ｒの視聴頻度をパブリック視聴頻度とする。
【０１０１】
推奨コンテンツリスト生成部１２は、図１２の（ａ）に示した、それぞれの出演者の視聴頻度のポイントと、所定の時間に視聴可能なコンテンツに関するコンテンツ関連情報（図２参照）とを参照して、視聴可能なコンテンツのそれぞれに優先度ポイントを付す。図１２の（ｂ）は、所定の時間に視聴可能なコンテンツと、各コンテンツの優先度ポイントとの情報を含むテーブルの例を示している。
【０１０２】
図１２の（ｂ）に示すように、推奨コンテンツリスト生成部１２は、情報処理装置１が配信可能なコンテンツのそれぞれに優先度ポイントを付す。推奨コンテンツリスト生成部１２は、プライベート視聴頻度が１ポイントの俳優Ｏが出演している映画Ｉのプライベート優先度ポイントを１ポイントとする。また、推奨コンテンツリスト生成部１２は、パブリック視聴頻度ポイントが２ポイントの俳優Ｐと、パブリック視聴ポイントが１ポイントの俳優Ｑが出演している映画ＩＩのパブリック優先度ポイントを２ポイント＋１ポイントで３ポイントとする。また、推奨コンテンツリスト生成部１２は、パブリック視聴頻度ポイントが１ポイントの俳優Ｑと、パブリック視聴ポイントが１ポイントの俳優Ｒが出演している映画ＩＩＩのパブリック優先度ポイントを１ポイント＋１ポイントで２ポイントとする。また、推奨コンテンツリスト生成部１２は、パブリック視聴頻度ポイントが１ポイントの俳優Ｑが出演している映画ＩＶのパブリック優先度ポイントを１ポイントとする。また、推奨コンテンツリスト生成部１２は、パブリック視聴頻度ポイントが２ポイントの俳優Ｐが出演している映画Ｖのパブリック優先度ポイントを２ポイントとする。
【０１０３】
また、推奨コンテンツリスト生成部１２は、所定の時間に視聴可能なテレビ番組のコンテンツのそれぞれについても優先度ポイントを付す。例えば、ある月曜日の２１：００に視聴可能なテレビ番組のコンテンツであるドラマＣおよびバラエティＤについて、推奨コンテンツリスト生成部１２は、視聴頻度ポイントに応じた優先度ポイントを付す。推奨コンテンツリスト生成部１２は、パブリック視聴頻度ポイントが１ポイントの俳優Ｑが出演しているドラマＣのパブリック優先度ポイントを１ポイントとする。また、推奨コンテンツリスト生成部１２は、プライベート視聴頻度ポイントが１ポイントの俳優Ｏが出演しているバラエティＤのプライベート優先度ポイントを１ポイントとする。
【０１０４】
なお、本実施形態では、推奨コンテンツリスト生成部１２は、出演者毎の視聴頻度に応じて優先度ポイントを付す構成について説明したが、これに限られるものではない。推奨コンテンツリスト生成部１２は、出演者に限らず、コンテンツのジャンル、監督、制作会社等の条件毎の視聴頻度に応じて優先度ポイントを付してもよい。
【０１０５】
推奨コンテンツリスト生成部１２は、各コンテンツの優先度ポイントに基づいて、推奨コンテンツリストを生成する。図１３の（ａ）および（ｂ）は、推奨コンテンツリスト生成部１２によって生成された推奨コンテンツリストの例を示す図である。図１３の（ａ）は、パブリック視聴頻度ポイントが付されたパブリックな推奨コンテンツリストを示し、図１３の（ｂ）は、プライベート視聴頻度ポイントが付されたプライベートな推奨コンテンツリストを示す図である。図１３の（ａ）に示したパブリックな推奨コンテンツリストは、表示装置５０を視聴する他者と共有される推奨コンテンツリストであり、供給先が制限されず、表示装置５０及び端末装置１１０の両方に供給されてもよい。一方で、図１３の（ｂ）に示したプライベートな推奨コンテンツリストは、表示装置５０を視聴する他者とは共有されない推奨コンテンツリストであり、供給先が端末装置１１０に制限されている。
【０１０６】
また、推奨コンテンツリスト生成部１２は、表示装置５０での視聴履歴を参照して、ユーザが既に視聴したコンテンツを含まない推奨コンテンツリストを生成する。例えば、表示装置５０での視聴履歴には、プライベート優先度ポイントが付されている映画Ｉが含まれているため、図１３の（ｂ）に示したプライベートな推奨コンテンツリストには、映画Ｉが含まれない。
【０１０７】
なお、視聴履歴は、視聴履歴に含まれる操作の内容を示す操作情報に基づいて、プライベートの視聴履歴であるのか、パブリックの視聴履歴であるのかが、推奨コンテンツリスト生成部１２によって区分けされる構成に限らず、表示装置５０の記憶部９５に、プライベートの視聴履歴と、パブリックの視聴履歴とに分けて記憶されている構成であってもよい。表示装置５０の制御部６０は、視聴履歴記録部６２の機能により、図３に示した視聴履歴をプライベートの視聴履歴と、パブリックの視聴履歴とに分けて記憶部９５に記憶することができてもよい。
【０１０８】
また、表示装置５０の制御部６０は、コンテンツを選択する操作に係る操作信号を、入力部８５を介して受信したか、遠隔操作信号受信部９０を介して受信したかに応じて、当該操作に応じた視聴履歴をプライベートの視聴履歴とするか、パブリックの視聴履歴とするかを判断することができてもよい。そして、表示装置５０の制御部６０は、記憶部９５に記憶した、プライベートの視聴履歴と、パブリックの視聴履歴とを、それぞれ情報処理装置１に送信する構成であってもよい。
【０１０９】
また、情報処理装置１の制御部１０が、表示装置５０から受信した視聴履歴と、端末装置１１０から受信した操作履歴と、を参照して、視聴履歴をプライベートの視聴履歴と、パブリックの視聴履歴とに振り分ける構成であってもよい。
【０１１０】
情報処理装置１の制御部６０は、推奨コンテンツリスト生成部１２の機能により生成した推奨コンテンツリストを通信部７０を介して、表示装置５０、および端末装置１１０の少なくとも何れか一方に供給する。情報処理装置１の制御部６０は、パブリックな推奨コンテンツリストを、通信部７０を介して、端末装置１１０に供給し、対象の表示装置５０には供給しない。また、情報処理装置１の制御部６０は、プライベートな推奨コンテンツリストを、通信部７０を介して、表示装置５０、および端末装置１１０に供給する。
【０１１１】
このように、情報処理装置１のサーバ制御部１０は、推奨コンテンツリスト生成部１２の機能により、対象の表示装置５０での視聴履歴を参照して、供給先が制限されたプライベートな推奨コンテンツリスト（第１の推奨コンテンツリスト）と、供給先が制限されないパブリックな推奨コンテンツリスト（第２の推奨コンテンツリスト）とを生成する。また、推奨コンテンツリスト生成部１２は、表示装置５０での視聴履歴を参照して、既に視聴済みのコンテンツを含まない推奨コンテンツリストを生成する。
【０１１２】
よって、他者と共有したくないプライベートな視聴履歴に基づく推奨コンテンツリストが、他者と一緒に視聴している表示装置５０の表示画面上に表示されることがなく、端末装置１１０にのみ供給される。一方で、他者と共有したいパブリックな視聴履歴に基づく推奨コンテンツリストが、他者と一緒に視聴している表示装置５０の表示画面上に表示される。よって、ユーザにとって使い勝手の良いコンテンツ推奨機能を提供することができる。
【０１１３】
なお、上記の説明では、情報処理装置１の制御部６０が、表示装置５０での視聴履歴を参照して、推奨コンテンツリスト生成部１２の機能により、供給先が制限されたプライベートな推奨コンテンツリストと、供給先が制限されないパブリックな推奨コンテンツリストとを生成する構成について説明した。しかしながら、これに限らず、表示装置５０の制御部６０が、表示装置５０での視聴履歴を参照して、供給先が制限されたプライベートな推奨コンテンツリストと、供給先が制限されないパブリックな推奨コンテンツリストとを生成する構成であってもよい。
【０１１４】
表示装置５０の制御部６０が、視聴履歴を参照して推奨コンテンツリストを生成する構成では、制御部６０は、通信部７０を介して、パブリックな推奨コンテンツリストを特定のユーザに紐付けられた端末装置１１０には供給するが、表示装置５０が備える表示部８０には表示しない構成であってもよい。
【０１１５】
また、図示は省略するが、表示装置５０は、複数の特定のユーザに紐付けられた端末装置のそれぞれを経由して受け付けた指示によって選択された各コンテンツを表示することができてもよい。そして、表示装置５０の制御部６０は、指示を受け付けた端末装置１１０毎に視聴履歴を記憶して、各端末装置１１０毎の推奨コンテンツリストを情報処理装置１から受信するとともに、操作端末に応じた推奨コンテンツリストを表示部８０に表示することができてもよい。
【０１１６】
また、ユーザは、端末装置１１０、または表示装置５０への操作で、プライベートの推奨コンテンツリストを、パブリックの推奨コンテンツリストと共に表示装置５０の表示部８０に表示させることができる構成であってもよい。
【０１１７】
〔実施形態２〕
上記各実施形態では、１つの情報処理装置１を用いる例を説明したが、情報処理装置１の有する各機能が、個別のサーバにて実現されていてもよい。そして、複数のサーバを適用する場合においては、各サーバは、同じ事業者によって管理されていてもよいし、異なる事業者によって管理されていてもよい。
【０１１８】
〔実施形態３〕
表示装置５０、端末装置１１０および情報処理装置１の各ブロックは、集積回路（ＩＣチップ）等に形成された論理回路（ハードウェア）によって実現してもよいし、ソフトウェアによって実現してもよい。後者の場合、表示装置５０、端末装置１１０および情報処理装置１のそれぞれを、図１４に示すようなコンピュータ（電子計算機）を用いて構成することができる。
【０１１９】
図１４は、表示装置５０、端末装置１１０または情報処理装置１として利用可能なコンピュータ９１０の構成を例示したブロック図である。コンピュータ９１０は、バス９１１を介して互いに接続された演算装置９１２と、主記憶装置９１３と、補助記憶装置９１４と、入出力インターフェース９１５と、通信インターフェース９１６とを備えている。演算装置９１２、主記憶装置９１３、および補助記憶装置９１４は、それぞれ、例えばプロセッサ（例えばＣＰＵ：Ｃｅｎｔｒａｌ  Ｐｒｏｃｅｓｓｉｎｇ  Ｕｎｉｔ等）、ＲＡＭ（ｒａｎｄｏｍ  ａｃｃｅｓｓ  ｍｅｍｏｒｙ）、ハードディスクドライブであってもよい。入出力インターフェース９１５には、ユーザがコンピュータ９１０に各種情報を入力するための入力装置９２０、およびコンピュータ９１０がユーザに各種情報を出力するための出力装置９３０が接続される。入力装置９２０および出力装置９３０は、コンピュータ９１０に内蔵されたものであってもよいし、コンピュータ９１０に接続された（外付けされた）ものであってもよい。例えば、入力装置９２０は、キーボード、マウス、タッチセンサなどであってもよく、出力装置９３０は、ディスプレイ、プリンタ、スピーカなどであってもよい。また、タッチセンサとディスプレイとが一体化されたタッチパネルのような、入力装置９２０および出力装置９３０の双方の機能を有する装置を適用してもよい。そして、通信インターフェース９１６は、コンピュータ９１０が外部の装置と通信するためのインターフェースである。
【０１２０】
補助記憶装置９１４には、コンピュータ９１０を表示装置５０、端末装置１１０または情報処理装置１として動作させるための各種のプログラムが格納されている。そして、演算装置９１２は、補助記憶装置９１４に格納された上記プログラムを主記憶装置９１３上に展開して該プログラムに含まれる命令を実行することによって、コンピュータ９１０を、表示装置５０または情報処理装置１が備える各部として機能させる。なお、補助記憶装置９１４が備える、プログラム等の情報を記録する記録媒体は、コンピュータ読み取り可能な「一時的でない有形の媒体」であればよく、例えば、テープ、ディスク、カード、半導体メモリ、プログラマブル論理回路などであってもよい。また、記録媒体に記録されているプログラムを、主記憶装置９１３上に展開することなく実行可能なコンピュータであれば、主記憶装置９１３を省略してもよい。なお、上記各装置（演算装置９１２、主記憶装置９１３、補助記憶装置９１４、入出力インターフェース９１５、通信インターフェース９１６、入力装置９２０、および出力装置９３０）は、それぞれ１つであってもよいし、複数であってもよい。
【０１２１】
また、上記プログラムは、コンピュータ９１０の外部から取得してもよく、この場合、任意の伝送媒体（通信ネットワークや放送波等）を介して取得してもよい。そして、本発明は、上記プログラムが電子的な伝送によって具現化された、搬送波に埋め込まれたデータ信号の形態でも実現され得る。
【０１２２】
〔まとめ〕
本発明の態様１に係る情報処理装置（１）は、サーバ制御部（１０）を備えた情報処理装置（１）であって、上記サーバ制御部（１０）は、対象表示装置（５０）での視聴履歴を参照して、供給先が制限された第１の推奨コンテンツリストと、供給先が制限されない第２の推奨コンテンツリストとを生成する構成である。
【０１２３】
上記の構成によれば、他者と共有したくないプライベートな視聴履歴に基づく推奨コンテンツリストの供給先を制限することができ、ユーザにとって使い勝手の良いコンテンツ推奨機能を提供することができる。
【０１２４】
本発明の態様２に係る情報処理装置（１）は、上記の態様１において、上記視聴履歴には、各コンテンツを特定するコンテンツ特定情報と、上記各コンテンツを選択するためにユーザが行った操作内容を示す操作情報とが含まれており、上記サーバ制御部（１０）は、上記対象表示装置（５０）が特定のユーザに紐付けられた携帯端末装置（１１０）を経由して受け付けた指示によって選択された各コンテンツを示す各コンテンツ特定情報の少なくとも一部を含む上記第１の推奨コンテンツリストを生成し、上記対象表示装置が上記携帯端末装置を経由せずに受け付けた指示によって選択された各コンテンツを示す各コンテンツ特定情報の少なくとも一部を含む上記第２の推奨コンテンツリストを生成する構成としてもよい。
【０１２５】
上記の構成によれば、携帯端末装置（１１０）から操作した場合には、当該操作によって選択されたコンテンツの視聴履歴に基づく推奨コンテンツリストが、表示装置（５０）を視聴する他者と共有されることがない。よって、プライベートな視聴履歴に基づく推奨コンテンツリストが他者と共有されることがない。一方で、携帯端末装置（１１０）を経由せずに受け付けた指示によって選択されたコンテンツの視聴履歴に基づく推奨コンテンツリストは、表示装置（５０）を視聴する他者と共有することができる。これにより、ユーザにとって使い勝手の良いコンテンツ推奨機能を提供することができる。
【０１２６】
本発明の態様３に係る情報処理装置（１）は、上記の態様２において、上記サーバ制御部（１０）は、上記対象表示装置（５０）が上記携帯端末装置（１１０）を経由して受け付けた指示であって、上記携帯端末装置（１１０）に表示された推奨コンテンツリストから選択された各コンテンツを示す各コンテンツ特定情報の少なくとも一部を含む上記第１の推奨コンテンツリストを生成する構成としてもよい。
【０１２７】
上記の構成によれば、携帯端末装置（１１０）に表示された推奨コンテンツリストから選択されたコンテンツの視聴履歴に基づく推奨コンテンツリストが、表示装置（５０）を視聴する他者と共有されることがない。よって、プライベートな視聴履歴に基づく推奨コンテンツリストが他者と共有されることがなく、ユーザにとって使い勝手の良いコンテンツ推奨機能を提供することができる。
【０１２８】
本発明の態様４に係る情報処理装置（１）は、上記の態様２又は３において、サーバ通信部（２０）を更に備え、上記サーバ制御部（１０）は、上記第１の推奨コンテンツリストを、上記サーバ通信部（２０）を介して、上記携帯端末装置（１１０）に供給し、上記対象表示装置（５０）には供給しない構成としてもよい。
【０１２９】
上記の構成によれば、プライベートな視聴履歴に基づく推奨コンテンツリストは、端末装置（５０）に供給され、表示装置（５０）には供給されないため、プライベートな視聴履歴に基づく推奨コンテンツリストが他者と共有されることがない。また、ユーザは、プライベートな視聴履歴に基づく推奨コンテンツリストを、当該ユーザに紐付けられた端末装置（５０）で確認することができる。よって、ユーザにとって使い勝手の良いコンテンツ推奨機能を提供することができる。
【０１３０】
本発明の態様５に係る表示装置（５０）は、制御部（６０）と表示部（８０）とを備えた表示装置（５０）であって、上記制御部（６０）は、当該表示装置（５０）での視聴履歴を参照して、供給先が制限された第１の推奨コンテンツリストと、供給先が制限されない第２の推奨コンテンツリストとを生成する構成である。
【０１３１】
上記の構成によれば、他者と共有したくないプライベートな視聴履歴に基づく推奨コンテンツリストの供給先を制限することができ、ユーザにとって使い勝手の良いコンテンツ推奨機能を提供することができる。
【０１３２】
本発明の態様６に係る表示装置（５０）は、上記の態様５において、通信部（７０）を更に備え、上記制御部（６０）は、上記通信部（７０）を介して、上記第１の推奨コンテンツリストを特定のユーザに紐付けられた携帯端末装置（１１０）には供給するが、当該表示装置（５０）が備える表示部（８０）には表示しない構成としてもよい。
【０１３３】
上記の構成によれば、ユーザは、他者と共有したくないプライベートな視聴履歴に基づく推奨コンテンツリストを、ユーザに紐付けられた端末装置（１１０）では確認できるが、表示部（８０）に表示されて他者と共有されることがない。よって、ユーザにとって使い勝手の良いコンテンツ推奨機能を提供することができる。
【０１３４】
本発明の各態様に係る表示装置、端末装置及び情報処理装置は、コンピュータによって実現してもよく、この場合には、コンピュータを上記表示装置、端末装置及び情報処理装置が備える各部（ソフトウェア要素）として動作させることにより上記表示装置、端末装置及び情報処理装置をコンピュータにて実現させる表示装置、端末装置及び情報処理装置の制御プログラム、およびそれを記録したコンピュータ読み取り可能な記録媒体も、本発明の範疇に入る。
【０１３５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１３６】
１  情報処理装置
１０  サーバ制御部（制御部）
１２  推奨コンテンツリスト生成部
２０  サーバ通信部（通信部）
５０  表示装置（対象表示装置）
６０  制御部
７０  通信部
８０  表示部
１００  情報処理システム
１１０  端末装置（携帯端末装置）
１２０  端末制御部
１３０  端末通信部
【図１】
2019205091.tif 000003
【図２】
2019205091.tif 000004
【図３】
2019205091.tif 000005
【図４】
2019205091.tif 000006
【図５】
2019205091.tif 000007
【図６】
2019205091.tif 000008
【図７】
2019205091.tif 000009
【図８】
2019205091.tif 000010
【図９】
2019205091.tif 000011
【図１０】
2019205091.tif 000012
【図１１】
2019205091.tif 000013
【図１２】
2019205091.tif 000014
【図１３】
2019205091.tif 000015
【図１４】
2019205091.tif 000016